(57)【要約】【課題】携帯型通信機を用いて、きわめて簡単な操作で歩数データ等の健康データをサーバに送信する操作環境を提供する。【解決手段】携帯型通信機１と別設の健康管理データ測定機２が携帯型通信機１に接続されたことを接続検出手段９を用いて検出し、それに基づいてあらかじめ設定された所定の外部機関のサーバ４に自動的に接続し、健康管理データ測定機２に記憶された健康管理データを送信する。これによって一般的に他に多くの機能を有する携帯型通信機１の操作手順の煩わしさを回避することが可能となり、健康管理という目的に対応して直接的なわかりやすい操作環境が実現できる。【選択図】　図１
2004081274.tif 000002
【特許請求の範囲】
【請求項１】
携帯型通信機に接続してサーバに健康管理データを送信する別設の健康管理データ測定機から構成され、前記健康管理データ測定機は、前記携帯型通信機との接続検出手段と、前記接続検出手段の検出結果に基づいて前記携帯型通信機を前記サーバに接続するサーバ接続手段と、前記サーバに接続完了後に健康管理データを前記サーバに送信するデータ送信手段とから構成される健康管理支援装置。
【請求項２】
携帯型通信機は、携帯電話である請求項１記載の健康管理支援装置。
【請求項３】
接続検出手段は、健康管理データ測定機と携帯型通信機双方に互いに接続可能に設けられた接続具を用いて電気的に接続されたことを検出する構成とした請求項１〜２のいずれか一項記載の健康管理支援装置。
【請求項４】
健康管理データ測定機は、健康管理データとしての生体消費熱量を測定する生体消費熱量測定手段と、前記生体消費熱量測定手段により測定された生体消費熱量を記憶する生体消費熱量データ記憶手段とから構成される請求項１〜３のいずれか一項記載の健康管理支援装置。
【請求項５】
生体消費熱量測定手段は、歩数、移動に伴う加速度、呼吸数、呼気中の成分、心拍数のうち少なくとも一つに基づいて生体消費熱量を算出する構成とした請求項４記載の健康管理支援装置。
【請求項６】
生体消費熱量データ記憶手段は、あらかじめ設定された一定時間毎の生体消費熱量を複数個記憶する構成とした請求項５記載の健康管理支援装置。
【請求項７】
バイタルデータ測定機を設け、健康管理データ測定機は、バイタルデータ記憶手段と、前記バイタルデータ測定機からのバイタルデータ受信手段を有し、前記バイタルデータ測定機で測定されたバイタルデータを前記バイタルデータ受信手段を介してバイタルデータ記憶手段に記憶し、サーバ接続時にサーバに送信する構成とした請求項１〜６のいずれか一項記載の健康管理支援装置。
【請求項８】
バイタルデータ測定機は、身長、体重、体脂肪率、血圧値、心拍数、心電図、尿糖値、血糖値、コレステロール値のうち少なくとも一つの生体情報を測定する構成とした請求項７記載の健康管理支援装置。
【請求項９】
請求項１〜８のいずれか一項記載の健康管理支援装置の全てもしくは一部をコンピュータに実行させるプログラム。
【発明の詳細な説明】
【０００１】
【発明の属する技術分野】
本発明は、健康管理データを健康管理データ測定機からサーバに送信し、健康管理を支援する健康管理支援装置に関するものである。
【０００２】
【従来の技術】
従来のこの種の健康管理支援装置としては、例えば特開２００１−２０３７８３公報に記載されているものがあった。図３は前記公報に記載された従来の健康管理支援装置の概略構成を示すものである。
【０００３】
図３において、携帯電話１と、携帯電話１に内蔵された歩数計部２、通信ネットワーク手段３、外部機関に設けられたサーバ４から構成される。
【０００４】
【発明が解決しようとする課題】
しかしながら上記従来の構成は、携帯電話１に組み込まれた歩数計部２で測定されたデータを通信ネットワーク手段３を介してサーバ４に送信する操作が煩雑になるという不都合がある。つまり、一般の携帯電話１はそれ自体が歩数計部２以外に多くの機能を有していることから、歩数計部２で測定されたデータを外部に送信するための手順が他の機能の操作と並列に置かれることによって、たとえば健康管理に多大なニーズがあるにもかかわらず、多機能な携帯電話１を使うことが不得手な中高年者にとっては、その歩数計機能を使いこなすことが難しいという課題があった。
【０００５】
本発明は、上記従来の課題を解決するもので、携帯電話１等の携帯型通信機を用いて、きわめて簡単な操作で歩数データ等の健康データをサーバ４に送信する操作環境を提供することを目的とする。
【０００６】
【課題を解決するための手段】
本発明は上記課題を解決するため、携帯型通信機と別設の健康管理データ測定機が携帯型通信機に接続されたことを接続検出手段を用いて検出し、それに基づいてあらかじめ設定された所定の外部機関のサーバに接続する。これによって携帯型通信機の操作手順の煩わしさを回避することが可能となり、健康管理という目的に対応して直接的なわかりやすい操作環境が実現できる。
【０００７】
【発明の実施の形態】
請求項１に記載の発明は、携帯型通信機に接続してサーバに健康管理データを送信する別設の健康管理データ測定機とから構成され、前記健康管理データ測定機は、前記携帯型通信機との接続検出手段と、前記接続検出手段の検出結果に基づいて前記携帯型通信機を前記サーバに接続するサーバ接続手段と、前記サーバに接続完了後に健康管理データを前記サーバに送信するデータ送信手段とから構成することにより、健康データが記憶された健康管理データ測定機を携帯型通信機に利用者によって接続されたことを自動的に検出し、その結果に応じて所定のサーバに接続後、健康データをそのサーバに送信する。
【０００８】
請求項２に記載の発明は、携帯型通信機は、携帯電話とすることにより、一般の利用者が持ち歩いて利用することに慣れた機器を使用することで、機器操作への心理的ストレスを軽減できる。
【０００９】
請求項３に記載の発明は、接続検出手段は、健康管理データ測定機と携帯型通信機双方に互いに接続可能に設けられた接続具を用いて電気的に接続されたことを検出する構成とすることにより、利用者が健康管理データ測定機を携帯型通信機に直接つなぐという行為自体に基づいて健康管理をおこなうサーバに接続して健康管理データを送信する。つまり、健康管理を目的とする利用者に直観的な操作環境が提供できる。
【００１０】
請求項４に記載の発明は、健康管理データ測定機は、健康管理データとしての生体消費熱量を測定する生体消費熱量測定手段と、前記生体消費熱量測定手段により測定された生体消費熱量を記憶する生体消費熱量データ記憶手段とから構成することにより、利用者が持ち歩いて自身の消費熱量を測定したものをサーバに送信して健康管理をおこなうが、携帯する必然性があるものとなるので、利用する際の心理的ストレスが小さくなるという効果がある。
【００１１】
請求項５に記載の発明は、生体消費熱量測定手段は、歩数、移動に伴う加速度、呼吸数、呼気中の成分、心拍数のうち少なくとも一つに基づいて生体消費熱量を算出する構成とすることにより、簡易な構成で生体消費熱量を推測し、生体消費熱量測定機を身につけて移動するのに負担にならなくすることができる。
【００１２】
請求項６に記載の発明は、生体消費熱量データ記憶手段は、あらかじめ設定された一定時間毎の生体消費熱量を複数個記憶する構成とすることにより、一日のうちの運動パターンを平日と休日とで比較して適切なアドバイスをおこなうために必要なデータが測定できるという利点がある。
【００１３】
請求項７に記載の発明は、バイタルデータ測定機を設け、健康管理データ測定機は、バイタルデータ記憶手段と、前記バイタルデータ測定機からのバイタルデータ受信手段を有し、前記バイタルデータ測定機で測定されたバイタルデータを前記バイタルデータ受信手段を介してバイタルデータ記憶手段に記憶し、サーバ接続時にサーバに送信する構成とすることにより、健康管理データ測定機のデータとともに一回の操作でバイタルデータをサーバに送信することができる。
【００１４】
請求項８に記載の発明は、バイタルデータ測定機は、身長、体重、体脂肪率、血圧値、心拍数、心電図、尿糖値、血糖値、コレステロール値のうち少なくとも一つの生体情報を測定する構成とすることにより、多種のバイタルデータを簡単な操作でサーバに送信でき、それに基づくアドバイスなどがきめ細かくできる。
【００１５】
請求項９に記載の発明は、請求項１〜９のいずれか１項記載の生体消費熱量データ管理装置の全てもしくは一部をコンピュータに実行させるプログラムとすることにより、パソコンやマイコンなどで容易に実現することができ、そのプログラムを記録した記録媒体を用いることでソフトウェアを各利用者の家庭でインストールする作業も容易になる。
【００１６】
【実施例】
以下、本発明の実施例について図面を参照しながら説明する。
【００１７】
図１は本発明の実施例の構成を示す図である。
【００１８】
携帯型通信機としての携帯電話１と、サーバ４と、携帯電話１とサーバ４とを接続してデータ送受信をおこなうための通信ネットワーク手段３と、健康管理データ測定機としての歩数計２と、バイタルデータ測定機としての体重計５と血圧計６とから構成される。歩数計２と携帯電話１とは、それらを互いに電気的、機械的に接続するための接続具としての第一のコネクタ７と第二のコネクタ８を設けている。歩数計２内には、これら第一のコネクタ７と第二のコネクタ８によって電気的に接続されたことを検出する接続検出手段９と、この接続検出手段９の検出結果に基づいて携帯電話１をサーバ４に接続するサーバ接続手段１０と、サーバ４に接続完了後に健康データとしての歩数データとバイタルデータを送信するデータ送信手段１１を設けている。歩数データは利用者の歩行による振動を検出して歩数を算出する歩数カウント手段１２と、計時手段１３により測定される時間に基づいて、一定時間間隔の歩数を順次記憶する歩数データ記憶手段１４に記憶される。バイタルデータについては、体重計５と血圧計６にこの歩数計２にデータを送信するための体重データ送信手段１５と血圧データ送信手段１６を設け、歩数計２のバイタルデータ受信手段１７を介してバイタルデータ記憶手段１８に計時手段１３の出力とともに記憶する。
【００１９】
図２は、システム構成を示した図であり、携帯電話１と歩数計２とが第一のコネクタ７と第二のコネクタ８によって接続された状態を示している。また、体重計５と血圧計６のデータは赤外線を媒体としておこなわれる。
【００２０】
以上の構成において動作を説明する。
【００２１】
利用者は歩数計２を身に付けて行動し、歩行に応じて歩数カウント手段１２により歩数がカウントされる。歩数データ記憶手段１４は、計時手段１３の出力に基づいて歩数カウント手段１２から１時間毎の歩数データを順次記憶する。また、利用者が体重計５や血圧計６で測定したデータは、体重データ送信手段１５および血圧データ送信手段１６から赤外線を媒体として歩数計２のバイタルデータ受信手段１７が受信し、計時手段１３の出力とともにバイタルデータ記憶手段１８に記憶される。
【００２２】
次に利用者が携帯電話１を用いてデータをサーバ４に送信する操作を説明する。利用者は歩数計２の第二のコネクタ８を携帯電話１の第一のコネクタ７に接続する。携帯電話１と歩数計２とは機械的、電気的に接続された状態となり、接続検出手段９はこれらが電気的に接続されたことを検出し、その検出結果に基づいてサーバ接続手段１０により、自動的に歩数計２が携帯電話１、通信ネットワーク手段３を介してサーバ４に接続される。サーバ４との接続が完了すると、多送信手段１１が歩数データ記憶手段１４に記憶された歩数データと、バイタルデータ記憶手段１５に記憶された体重および血圧のデータを計時手段１３の出力とともにサーバ４に送信する。サーバ４はこれらのデータを受け、健康データとしての歩数データと体重、血圧のバイタルデータをその測定時刻とともに記憶し、さらにそれに基づいて利用者の健康管理へのアドバイスなどのサービスデータを送信するなどする。
【００２３】
このように、本実施例では、歩数計２に記憶しておいた歩数データと他の体重計５と血圧計６によるバイタルデータを、利用者の行為としては携帯電話１に機械的に接続するだけという極めて簡単な操作でサーバ４にデータ送信するという利用環境を実現できる。
【００２４】
これによって、多くの機能を有する携帯電話１の操作手順の煩わしさを回避することが可能となり、使いこなすことが不得手な中高年者などにとっては、健康管理という目的に対応して直接的でわかりやすいという実用上多大な効果がある。
【００２５】
なお、本実施例の動作の説明では、接続検出手段９の出力により、データ送信までの一連の動作を自動的に終えてしまう場合を説明したが、データ送信の途中で携帯電話１のキー操作により動作状況の利用者に確認させたり、動作の指示をさせるなどしてもよい。
【００２６】
また、通信ネットワーク手段３には携帯電話網やインターネット網などを用いる。
【００２７】
なお、生体消費熱量を表すものとして歩数を測定する構成を実施例で用いたが、他に歩数、移動に伴う加速度、呼吸数、呼気中の成分、心拍数も生態消費熱量と相関があり、本発明において使用することができる。さらに、それらのうち複数を用いれば、より精度の高い生体消費熱量測定を実現することが可能となる。
【００２８】
さらに、バイタルデータ測定機として体重計５、血圧計６を例に挙げたが、他に身長、体脂肪率、心拍数、心電図、尿糖値、血糖値、コレステロール値を用いてもよい。
【００２９】
【発明の効果】
以上のように、本発明によれば、携帯型通信機と別設の健康管理データ測定機が携帯型通信機に接続されたことを接続検出手段を用いて検出し、それに基づいてあらかじめ設定された所定の外部機関のサーバに自動的に接続し、健康管理データ測定機に記憶された健康管理データを送信する。これによって一般的に他に多くの機能を有する携帯型通信機の操作手順の煩わしさを回避することが可能となり、健康管理という目的に対応して直接的なわかりやすい操作環境が実現できる。
【図面の簡単な説明】
【図１】本発明の実施例における健康管理支援装置の構成図
【図２】同システム構成を示した図
【図３】従来の健康管理支援装置の構成図
【符号の説明】
１　携帯型通信機としての携帯電話
２　健康管理データ測定機としての歩数計
４　サーバ
５　バイタルデータ測定機としての体重計
６　バイタルデータ測定機としての血圧計
７　接続具としての第一のコネクタ
８　接続具としての第二のコネクタ
９　接続検出手段
１０　サーバ接続手段
１１　データ送信手段
１２　生体消費熱量測定手段としての歩数カウント手段
１３　バイタルデータ記憶手段
１４　生体消費熱量記憶手段としての歩数データ記憶手段
【図１】
2004081274.tif 000003
【図２】
2004081274.tif 000004
【図３】
2004081274.tif 000005